(57)【特許請求の範囲】
【請求項１】
基板と、当該基板上に配置された発光部と、を備える発光装置と、
前記発光装置の上方に配置され、前記発光部の上方に形成された貫通孔と、当該貫通孔の周囲に形成された複数の挿通孔と、を備えるとともに、前記発光装置に電流を供給する回路基板と、
前記回路基板の上方に配置された筒状のレンズホルダと、
前記レンズホルダの筒内に収容されたレンズと、を備える照明装置であって、
前記レンズホルダは、筒の下端から突出する複数の爪部を備え、
前記爪部は、前記回路基板の上から前記挿通孔に挿通されて当該回路基板の下面から突出し、
前記発光装置は、前記基板の下面または側端部が、前記回路基板を介して、前記爪部によって支持されて前記回路基板の下方に保持されることを特徴とする照明装置。
【請求項２】
基板と、当該基板上に配置された発光部と、を備える複数の発光装置と、
前記複数の発光装置の上方に配置され、前記発光部の上方に形成された貫通孔と、当該貫通孔の周囲に形成された複数の挿通孔と、を備えるとともに、前記複数の発光装置に電流を供給する回路基板と、
前記回路基板の上方に配置された、前記発光装置の数と同数の複数の筒状のレンズホルダと、
前記レンズホルダの筒内に収容されたレンズと、を備える照明装置であって、
前記レンズホルダは、筒の下端から突出する複数の爪部を備え、
前記爪部は、前記回路基板の上から前記挿通孔に挿通されて当該回路基板の下面から突出し、
前記発光装置は、前記基板の下面または側端部が、前記回路基板を介して、前記爪部によって支持されて前記回路基板の下方に保持されることを特徴とする照明装置。
【請求項３】
前記発光装置の下方に配置された放熱部材を備え、
前記放熱部材は、前記発光装置の基板の下面または側端部を支持する前記複数の爪部の先端が収容される収容孔を備え、
前記放熱部材の収容孔に前記複数の爪部の先端が収容されることで、前記発光装置の基板の下面が前記放熱部材の上面に密着して配置されることを特徴とする請求項１または請求項２に記載の照明装置。
【請求項４】
前記複数のレンズの上方に配置された平板状のレンズカバーを備え、
前記レンズカバーは、前記レンズの数と同数の複数の貫通孔を備え、
前記レンズカバーの貫通孔は、前記レンズの外径よりも小さく形成され、
前記レンズは、前記レンズカバーの貫通孔の縁が当該レンズの周端部に当接することで、前記レンズホルダ内に固定されることを特徴とする請求項２に記載の照明装置。
【請求項５】
前記回路基板の下面における前記貫通孔の周囲に、前記発光装置が備える一対の電極に電流を供給するための一対の給電用端子が配置され、
前記給電用端子は、弾性部材で構成されていることを特徴とする請求項１から請求項４のいずれか一項に記載の照明装置。
【請求項６】
前記一対の給電用端子のそれぞれは、前記回路基板の下面において、当該回路基板の貫通孔の中心を基準として点対称の位置に配置されていることを特徴とする請求項５に記載の照明装置。
【請求項７】
前記レンズホルダは、筒の下端から突出する複数の柱状部を備え、
前記回路基板は、上方に配置された前記レンズホルダの前記複数の柱状部が挿通される挿通孔を備え、
前記複数の柱状部は、前記レンズホルダの筒の下端において、前記爪部の爪の向く方向と直交する方向にそれぞれ設けられるとともに、前記回路基板の上から前記挿通孔に挿通された場合に、当該回路基板の下方に配置された前記発光装置の基板の側端部に当接するように形成されていることを特徴とする請求項１から請求項６のいずれか一項に記載の照明装置。
【発明の詳細な説明】
【技術分野】
【０００１】
本発明は、高出力発光ダイオード（Power LED）を光源とし、天井等に埋め込まれるダウンライト等の照明装置に関する。
【背景技術】
【０００２】
従来、ダウンライト等の照明装置は、ＬＥＤ（発光素子）が実装された基板を照明装置内に組み込んだものが用いられていた（例えば特許文献１参照）。また、このような照明装置においては、ＬＥＤは基板上にハンダ付けによって固定されて電気が供給されていた。しかし近年、ＬＥＤの高出力化（高電力化）が進み、基板として熱伝達性に優れたＡｌ基板を用いた場合であっても、ＬＥＤの熱を放熱部材（ヒートシンク）に伝達することが難しくなってきている。
【０００３】
そのため、最近ではＬＥＤを直接放熱部材に実装することができるＣＯＢ（Chip On Board）タイプのＬＥＤが照明装置に用いられるようになってきている（例えば特許文献２参照）。このようなＣＯＢタイプのＬＥＤ（以下、単にＣＯＢという）は、裏面から熱を放熱するため給電部が表面にある。従って、ＣＯＢを用いた照明装置では、当該ＣＯＢの前面に給電ホルダや給電用の配線（以下、単に配線という）を直接ハンダ付けして電気を供給していた。
【先行技術文献】
【特許文献】
【０００４】
【特許文献１】特開２００９−６４６３７号公報（図１参照）
【特許文献２】特開２０１１−１１３８１４号公報（図１参照）
【発明の概要】
【発明が解決しようとする課題】
【０００５】
しかしながら、前記したようなＣＯＢを用いた照明装置は、複数のＣＯＢを実装する際に、個々のＣＯＢに給電ホルダを取り付けたり、当該給電ホルダごとに配線を接続したり、ＣＯＢに配線を直接ハンダ付けして接続することは困難であった。具体的には、ダウンライトは、一般的に限られた面積（φ７５〜２５０ｍｍ）の中で５〜２０個ものＣＯＢを配置するため、隣接するＣＯＢ同士の間隔が狭くなる。従って、ＣＯＢごとに給電ホルダを取り付けたり、ＣＯＢに配線を直接ハンダ付けするようなスペースを確保したりすることが困難であった。
【０００６】
また、前記したようなＣＯＢを用いた照明装置は、複数のＣＯＢを実装する際に、仮に給電ホルダを介して、あるいは直接ＣＯＢに配線を接続できたとしても、狭いスペースの中に非常に多数の配線が張り巡らされることになるため、例えばＣＯＢの交換等の作業が非常に煩雑になってしまう。
【０００７】
本発明は、前記問題点に鑑みてなされたものであり、複数のＣＯＢを容易に実装することができ、ＣＯＢの交換等の作業も容易に行うことができる照明装置を提供することを課題とする。
【課題を解決するための手段】
【０００８】
前記課題を解決するために本発明に係る照明装置は、基板と、当該基板上に配置された発光部と、を備える複数の発光装置と、前記複数の発光装置の上方に配置され、前記発光部の上方に形成された貫通孔と、当該貫通孔の周囲に形成された複数の挿通孔と、を備えるとともに、前記複数の発光装置に電流を供給する回路基板と、前記回路基板の上方に配置された、前記発光装置の数と同数の複数の筒状のレンズホルダと、前記レンズホルダの筒内に収容されたレンズと、を備える照明装置であって、前記レンズホルダが、筒の下端から突出する複数の爪部を備え、前記爪部が、前記回路基板の上から前記挿通孔に挿通されて当該回路基板の下面から突出し、前記発光装置の前記基板の下面または側端部が、前記回路基板を介して、前記爪部によって支持されて前記回路基板の下方に保持される構成とした。
【０００９】
このような構成を備える照明装置は、レンズホルダの爪部を回路基板の挿通孔に挿通して当該回路基板の下面から突出させ、この突出した爪部によって基板の下面または側端部を支持することで、それぞれのレンズホルダごとに、回路基板を介して発光装置を保持することができる。また、照明装置は、レンズホルダが発光装置の取り付け部材としても機能するため、当該レンズホルダに収容されるレンズの位置に対して発光装置の発光部の位置を正確に調整することができる。
【００１０】
また、本発明に係る照明装置は、前記発光装置の下方に配置された放熱部材を備え、前記放熱部材が、前記発光装置の基板の下面または側端部を支持する前記複数の爪部の先端が収容される収容孔を備え、前記放熱部材の収容孔に前記複数の爪部の先端が収容されることで、前記発光装置の基板の下面が前記放熱部材の上面に密着して配置される構成とすることが好ましい。
【００１１】
このような構成を備える照明装置は、複数の発光装置の下方に放熱部材を配置する際に、当該発光装置の基板の下面よりも突出しているレンズホルダの爪部の先端を放熱部材の収容孔に収容することで、発光装置の基板の下面を放熱部材の上面に密着させることができるため、放熱を最大限効率よく行うことができる。
【００１２】
また、本発明に係る照明装置は、前記複数のレンズの上方に配置された平板状のレンズカバーを備え、前記レンズカバーが、前記レンズの数と同数の複数の貫通孔を備え、前記レンズカバーの貫通孔が、前記レンズの外径よりも小さく形成され、前記レンズが、前記レンズカバーの貫通孔の縁が当該レンズの周端部に当接することで、前記レンズホルダ内に固定される構成とすることが好ましい。
【００１３】
このような構成を備える照明装置は、複数のレンズの上方にレンズカバーを配置する際に、レンズの周端部にレンズカバーの貫通孔の縁を当接させながら配置するため、各レンズがレンズホルダ内でぐらつくことを防止し、レンズの位置を固定することができる。
【００１４】
また、本発明に係る照明装置は、前記回路基板の下面における前記貫通孔の周囲に、前記発光装置が備える一対の電極に電流を供給するための一対の給電用端子が配置され、前記給電用端子が、弾性部材で構成されている構成とすることが好ましい。
【００１５】
このような構成を備える照明装置は、発光装置に電流を供給するための給電用端子が弾性部材で構成されているため、回路基板の下方に発光装置を配置し、当該回路基板の給電用端子に発光装置の電極を接触させて給電を行う際に、発光装置が常に下方向に押圧された状態となり、発光装置が上下方向にぐらつくことを防止することができる。また、照明装置は、回路基板に配置された給電用端子に発光装置の電極を接触させることで給電を行うことができるため、配線等を張り巡らせることなく、複数の発光装置に一括で電流を供給することができる。
【００１６】
また、本発明に係る照明装置は、前記一対の給電用端子のそれぞれが、前記回路基板の下面において、当該回路基板の貫通孔の中心を基準として点対称の位置に配置されている構成とすることが好ましい。
【００１７】
このような構成を備える照明装置は、発光装置に電流を供給するための給電用端子が回路基板の貫通孔の中心を基準とした点対称の位置に一対で配置されているため、回路基板の下方に発光装置を配置し、当該回路基板の給電用端子に発光装置の電極を接触させて給電を行う際に、発光装置が常に均等な力で下方向に押圧された状態となり、発光装置が上下方向にぐらつくことをより確実に防止することができる。
【００１８】
また、本発明に係る照明装置は、前記レンズホルダが、筒の下端から突出する複数の柱状部を備え、前記回路基板が、上方に配置された前記レンズホルダの前記複数の柱状部が挿通される挿通孔を備え、前記複数の柱状部が、前記レンズホルダの筒の下端において、前記爪部の爪の向く方向と直交する方向にそれぞれ設けられるとともに、前記回路基板の上から前記挿通孔に挿通された場合に、当該回路基板の下方に配置された前記発光装置の基板の側端部に当接するように形成されている構成とすることが好ましい。
【００１９】
このような構成を備える照明装置は、レンズホルダの柱状部を回路基板の挿通孔に挿通して当該回路基板の下面から突出させ、この突出した柱状部を、レンズホルダの爪部によって支持されている発光装置の基板の側端部と異なる側端部に当接させることで、回路基板の下方に配置された発光装置の前後方向および左右方向の位置ずれを防止することができる。
【発明の効果】
【００２０】
本発明に係る照明装置によれば、レンズホルダによって発光装置（ＣＯＢ）を保持することができるため、当該発光装置を保持するために別途のホルダを用意する必要がなく、複数の発光装置を容易に実装することができるとともに、発光装置の交換等の作業も容易に行うことができる。また、照明装置によれば、レンズの位置に対する発光装置の位置の調整をレンズホルダによって行うことができるため、両者の位置精度を向上させることができる。そして、照明装置によれば、回路基板によって複数の発光装置に一括で電流を供給することができるため、照明装置内の狭いスペースの中に多数の配線が張り巡らされることがなく、発光装置の交換等の作業も容易に行うことができる。
【図面の簡単な説明】
【００２１】
【図１】本発明の実施形態に係る照明装置の全体構成を示す斜視図である。
【図２】本発明の実施形態に係る照明装置の全体構成を示す分解斜視図である。
【図３】本発明の実施形態に係る照明装置を構成する各部材の関係を示す図であって、給電用端子としてコイルコネクタを用いた例を示す斜視図である。
【図４】本発明の実施形態に係る照明装置を構成する各部材の関係を示す図であって、（ａ）は、レンズ、レンズホルダ、回路基板および発光装置を組み合わせる前の状態を示す側面図、（ｂ）は、レンズ、レンズホルダ、回路基板および発光装置を組み合わせた後の状態を示す側面図、（ｃ）は、回路基板の給電用端子と発光装置の基板との関係を示す図であって、（ｂ）のＡ部拡大図、である。
【図５】本発明の実施形態に係る照明装置を構成する各部材の関係を示す図であって、レンズカバー、レンズ、レンズホルダ、回路基板、発光装置および放熱部材を組み合わせた後の状態を示す側面図、である。
【図６】本発明の実施形態に係る照明装置を構成する各部材の関係を示す図であって、図４（ｂ）を下から観察した状態を示す平面図である。
【図７】本発明の実施形態に係る照明装置を構成する各部材の関係を示す図であって、給電用端子として板バネコネクタを用いた例を示す斜視図である。
【発明を実施するための形態】
【００２２】
以下、本発明の実施形態に係る照明装置について、図面を参照しながら説明する。なお、各図面が示す部材のサイズや位置関係等は、説明を明確にするため誇張していることがある。さらに以下の説明において、同一の名称、符号については、原則として同一もしくは同質の部材を示しており、詳細説明を適宜省略する。
【００２３】
照明装置１は、例えば天井等に埋め込んで設置されるダウンライト等の装置である。照明装置１は、ここでは図１に示すように、回路基板１０と、発光装置２０と、放熱部材３０と、レンズホルダ４０と、レンズ５０と、レンズカバー６０と、を備えている。そして、照明装置１は、図１および図２に示すように、回路基板１０と放熱部材３０との間に複数の発光装置２０が挟まれるように配置され、レンズカバー６０と回路基板１０との間に複数のレンズ５０を収容する複数のレンズホルダ４０が挟まれるように配置されている。
【００２４】
照明装置１は、図２に示すように、回路基板１０と放熱部材３０とが締結部材Ｂ１，Ｂ２によって締結され、回路基板１０とレンズカバー６０とが締結部材Ｂ２を介して、締結部材Ｂ３によって締結されている。なお、前記した締結部材Ｂ２は、図２に示すように、回路基板１０とレンズカバー６０との間におけるスペーサの機能も果たしている。
【００２５】
回路基板１０は、発光装置２０に電流を供給するためのプリント基板である。回路基板１０は、ここでは図２に示すように、円盤状に形成されている。また、図示は省略したが、回路基板１０には外部の電源が接続されており、後記するように、下面に配置された複数の給電用端子１４（図３参照）を介して、複数の発光装置２０に電流を供給できるように構成されている。また、回路基板１０には、図２に示すように、他の部材と組み合わせるために、形状や大きさが異なる複数の孔が貫通して形成されており、具体的には複数の貫通孔１１と、複数の挿通孔１２と、複数の挿通孔１３と、が形成されている。
【００２６】
貫通孔（発光部用孔部）１１は、回路基板１０の下方に配置される発光装置２０の発光部２２を露出させるためのものである。貫通孔１１は、ここでは図２に示すように、発光装置２０の発光部２２の上方に、当該発光部２２の形状に合わせて円形状に形成されている。また、貫通孔１１は、図２に示すように、発光装置２０の数と同数（ここでは８個）形成されている。
【００２７】
挿通孔１２（爪部用孔部）は、レンズホルダ４０の爪部４１を挿通するためのものである。挿通孔１２は、ここでは図２に示すように、レンズホルダ４０の爪部４１を正面から観察した場合の形状（図６参照）に合わせて矩形状に形成されている。また、挿通孔１２は、ここでは図２に示すように、爪部４１の先端である鍔部４１２（図４（ａ）参照）が挿通可能な大きさに形成されている。なお、この挿通孔１２に爪部４１が挿通される場合、鍔部４１２の傾斜部分が挿通孔１２の縁に当接し、当該傾斜部分で滑り込むようにして挿通される。
【００２８】
挿通孔１２は、図２に示すように、レンズホルダ４０の爪部４１の数と同数（ここでは４個）形成されている。また、挿通孔１２は、図２に示すように、貫通孔１１の周囲に形成され、より具体的には、レンズホルダ４０の爪部４１の位置（図６参照）に合わせて、回路基板１０の下方に発光装置２０を配置した場合に、当該発光装置２０の四隅に位置するように形成されている。
【００２９】
挿通孔（柱状部用孔部）１３は、レンズホルダ４０の柱状部４２を挿通するためのものである。挿通孔１３は、ここでは図２に示すように、レンズホルダ４０の柱状部４２の形状（図６参照）に合わせて円形状に形成されている。また、挿通孔１３は、図２に示すように、レンズホルダ４０の柱状部４２の数と同数（ここでは２個）形成されている。また、挿通孔１３は、図２に示すように、貫通孔１１の周囲に形成され、より具体的には、レンズホルダ４０の柱状部４２の位置（図６参照）に合わせて、レンズホルダ４０の爪部４１の爪の向く方向（図６における左右方向）と直交する方向にそれぞれ設けられる。
【００３０】
回路基板１０の下面には、図３に示すように、複数の給電用端子１４が配置されている。この給電用端子１４は、発光装置２０の電極２３に電流を供給するためのものである。給電用端子１４は、ここでは図３に示すように、発光装置２０が備える一対の電極２３（図２参照）に対面する位置で、回路基板１０の下面における貫通孔１１の周囲に一対で配置されている。すなわち、給電用端子１４は、図２に示すように８個の発光装置２０が用いられる場合は、回路基板１０の下面に合計１６個（一対の給電用端子１４が８組）配置される。
【００３１】
また、給電用端子１４は、具体的には図３に示すように、発光装置２０の電極２３と接続する部分がコイルコネクタのような弾性部材で構成されており、先端が上下方向に弾性変形するように構成されている。これにより、照明装置１は、図４（ａ）、（ｂ）に示すように、レンズホルダ４０の爪部４１に発光装置２０を取り付けると、発光装置２０の電極２３（図２参照）が給電用端子１４に当接し、当該発光装置２０に電流が供給されるとともに、図４（ｃ）に示すように、給電用端子１４の弾性力によって、発光装置２０の基板２１が下方向に押圧される状態となる。またその際、給電用端子１４のそれぞれは、図４（ｂ）に示すように、貫通孔１１の周囲における２点で発光装置２０の基板２１を押圧する状態となる。このような構成を備える照明装置１は、回路基板１０の下方に発光装置２０を配置し、当該回路基板１０の給電用端子１４に発光装置２０の電極２３を接触させて給電を行う際に、発光装置２０が常に下方向に押圧された状態となるため、発光装置２０が上下方向にぐらつくことを防止することができる。また、照明装置１は、回路基板１０に配置された給電用端子１４に発光装置２０の電極２３を接触させることで給電を行うことができるため、配線等を張り巡らせることなく、複数の発光装置２０に一括で電流を供給することができる。
【００３２】
また、前記したように発光装置２０ごとに配置された一対の給電用端子１４は、図６に示すように、回路基板１０の貫通孔１１の中心Ｘを基準として、点対称の位置である左上と右下とに配置されている。このような構成を備える照明装置１は、回路基板１０の下方に発光装置２０を配置し、当該回路基板１０の給電用端子１４に発光装置２０の電極２３を接触させて給電を行う際に、発光装置２０が常に均等な力で下方向に押圧された状態となるため、発光装置２０が上下方向にぐらつくことをより確実に防止することができる。
【００３３】
発光装置２０は、照明装置１の光源となるものである。発光装置２０は、具体的には図２に示すように、基板２１と、基板２１上に配置された発光部２２と、基板２１上に配置された一対の電極２３，２３と、を備えたＣＯＢタイプの装置で構成されている。なお、発光装置２０の基板２１は、図２に示すように、矩形状に形成され、セラミックスやＡｌ等の熱伝導性に優れた素材で形成されている。また、発光装置２０の発光部２２は、単数または複数の発光素子（ＬＥＤ）によって構成されている。
【００３４】
発光装置２０は、図２に示すように、回路基板１０の下方および放熱部材３０の上方に配置され、両者に挟まれるように配置されている。また、発光装置２０は、図３に示すように、発光部２２が回路基板１０の貫通孔１１と対面するように配置されている。そのため、発光装置２０の発光部２２の上方には、貫通孔１１を介してレンズ５０が配置される。従って、発光装置２０の発光部２２からの光は、前記した貫通孔１１を介して、レンズ５０に入射される。また、発光装置２０は、図１に示すように、その下面が放熱部材３０の上面に密着するように配置され、当該放熱部材３０を介して、発光装置２０で発生した熱を放熱できるように構成されている。
【００３５】
また、発光装置２０は、図４（ａ）、（ｂ）に示すように、回路基板１０を介してレンズホルダ４０の爪部４１によって支持されることで、回路基板１０の下方に保持された状態となる。すなわち、レンズホルダ４０の爪部４１は、図４（ａ）に示すように、回路基板１０の厚さよりも長く形成されているため、当該爪部４１が回路基板１０の挿通孔１２に挿通されると、図４（ｂ）に示すように、当該爪部４１における回路基板１０の厚さを超える部分が、回路基板１０の下面から突出した状態となる。そして、図４（ｂ）に示すように、この突出したレンズホルダ４０の爪部４１によって基板２１の下面および側端部が支持されることで、発光装置２０が回路基板１０の下方に保持された状態となる。なお、発光装置２０の基板２１は、図４（ｃ）に示すように、回路基板１０の給電用端子１４によって上方から押圧されているため、上方向に動くことがないように固定されている。すなわち、発光装置２０は、図４（ｃ）に示すように、給電用端子１４の先端と、爪部４１の折り返し上面４１ａとで上下から挟まれることで位置が固定された状態となっている。
【００３６】
なお、前記した「爪部４１によって基板２１の下面および側端部が支持される」状態とは、より具体的には図４（ｃ）に示すように、基板２１の下面２１ａに爪部４１の折り返し上面４１ａが当接し、基板２１の側端部２１ｂに爪部４１の内側面４１ｂが当接した状態を意味している。但し、発光装置２０は、基板２１の下面２１ａに爪部４１の折り返し上面４１ａが当接した状態、あるいは、基板２１の側端部２１ｂに爪部４１の内側面４１ｂが当接した状態、のいずれかの状態であれば、回路基板１０の下方に保持された状態を形成することができる。
【００３７】
ここで、図４（ｃ）における各部材の関係について具体的に説明する。まず、レンズホルダ４０の爪部４１は、図４（ｃ）に示すように、回路基板１０の厚さｅよりも長く形成されているため、挿通孔１２に挿通されると、回路基板１０の厚さｅを超える部分ｆが、回路基板１０の下面から突出した状態となる。また、その際、回路基板１０下面とレンズホルダ４０の爪部４１の折り返し上面４１ａとは、図４（ｃ）に示すように、距離ａだけ離れた状態となる。そして、図４（ｃ）に示すように、レンズホルダ４０の爪部４１によって発光装置２０の基板２１を支持すると、電極２３に当接した給電用端子１４の先端が距離ｂだけ上方向に押し込まれる。一方、給電用端子１４の先端は、発光装置２０を上方向に押すと、図４（ｃ）に示すように、さらに距離ｃだけ上方向に押し込むことができる余裕を有している。但し、前記したように、給電用端子１４は、弾性部材で構成されているため、発光装置２０は当該給電用端子１４によって上から押圧された状態となっている。そして、発光装置２０は、図４（ｃ）に示すように、給電用端子１４の先端と、爪部４１の折り返し上面４１ａとで上下から挟まれることで位置が固定された状態となっているため、上下方向にぐらつくことがない。
【００３８】
放熱部材３０は、発光装置２０で生じた熱を放熱するものである。放熱部材３０は、図２に示すように、一般的なヒートシンクで構成されている。放熱部材３０は、図１に示すように、複数の発光装置２０の下方に配置され、回路基板１０とともに当該複数の発光装置２０を挟み込むように配置されている。
【００３９】
放熱部材３０には、図２に示すように、他の部材と組み合わせるために、複数の収容孔３１が形成されている。この収容孔（爪部先端用孔部）３１は、回路基板１０の挿通孔１２に挿通され、当該回路基板１０の下面から突出したレンズホルダ４０の爪部４１の先端である鍔部４１２（図４（ａ）参照）を収容するためのものである。収容孔３１は、ここでは図２に示すように、円形状に形成されている。また、収容孔３１は、ここでは図２に示すように、爪部４１の先端である鍔部４１２（図４（ａ）参照）が収容可能な大きさに形成されている。また、収容孔３１は、図２に示すように、レンズホルダ４０の爪部４１の数と同数（ここでは３２個）形成されている。
【００４０】
そして、照明装置１は、図５に示すように、前記した収容孔３１にレンズホルダ４０の爪部４１の先端である鍔部４１２が収容されることで、発光装置２０の基板２１の下面２１ａが放熱部材３０の上面に密着して配置されることになる。このような構成を備える照明装置１は、複数の発光装置２０の下方に放熱部材３０を配置する際に、発光装置２０の基板２１の下面２１ａを放熱部材３０の上面に密着させることができるため、放熱を最大限効率よく行うことができる。
【００４１】
レンズホルダ４０は、レンズ５０を収容して保持するものである。レンズホルダ４０は、図２に示すように、筒状に形成されている。レンズホルダ４０の筒の内径は、レンズ５０の外径（最も径が大きい部分）と同一となるように構成され、図４（ｂ）に示すように、当該筒内にレンズ５０が収容されている。また、レンズホルダ４０は、発光装置２０およびレンズ５０と同数（ここでは８個）設けられている。そして、これら複数のレンズホルダ４０は、図２に示すように、回路基板１０の上方において、回路基板１０の貫通孔１１に対応した位置に配置されている。レンズホルダ４０は、より具体的には図４（ａ）に示すように、回路基板１０の上方において、当該レンズホルダ４０の中心と貫通孔１１の中心とが一致する位置に配置されている。
【００４２】
ここで、レンズホルダ４０は、レンズ５０を収容するのみならず、発光装置２０を回路基板１０の下方に保持する機能も有している。すなわち、レンズホルダ４０は、図３に示すように、筒の下端から突出する複数（ここでは４個）の爪部４１を備えている。この爪部４１は、図４（ａ）に示すように、直棒状の柱部４１１と、当該柱部４１１の先端の鍔部４１２とから構成されている。この爪部４１は、図４（ａ）、（ｂ）に示すように、回路基板１０の挿通孔１２にそれぞれ挿通され、その柱部４１１の一部と鍔部４１２とが回路基板１０の下面に突出する。なお、この挿通孔１２に爪部４１が挿通される場合、鍔部４１２の傾斜部分が挿通孔１２の縁に当接し、当該傾斜部分で滑り込むようにして挿通される。そして、レンズホルダ４０は、図４（ｃ）に示すように、回路基板１０の下面に突出したこの爪部４１によって、発光装置２０の基板２１の下面２１ａおよび側端部２１ｂを支持する。
【００４３】
また、レンズホルダ４０は、図３および図４（ａ）に示すように、筒の下端から突出する複数（ここでは２つ）の柱状部４２を備えている。この柱状部４２は、図３に示すように、回路基板１０の挿通孔１３（図２参照）にそれぞれ挿通される。柱状部４２は、図４（ａ）に示すように、回路基板１０の厚さよりも長く形成されているため、当該柱状部４２が回路基板１０の挿通孔１３（図３参照）に挿通されると、図４（ｂ）に示すように、当該柱状部４２における回路基板１０の厚さを超える部分が、回路基板１０の下面から突出した状態となる。
【００４４】
また、柱状部４２は、図６に示すように、レンズホルダ４０の筒の下端において、爪部４１の爪の向く方向（ここでは左右方向）と直交する方向（ここでは上下方向）にそれぞれ設けられている。なお、「爪部４１の爪の向く方向」とは、より具体的には図６に示すように、爪部４１の爪（鍔部４１２）同士が互いに向かい合う方向のことを意味している。そして、柱状部４２は、回路基板１０の挿通孔１３に挿通された際に、図６に示すように、レンズホルダ４０の爪部４１によって支持される発光装置２０の基板２１の側端部２１ｂ，２１ｂとは異なる側端部２１ｃ，２１ｃに当接するように、レンズホルダ４０の筒の下端に形成されている。このような構成を備える照明装置１は、回路基板１０の下方に配置された発光装置２０の前後方向および左右方向の位置ずれを防止することができる。
【００４５】
レンズ５０は、発光装置２０からの光を集束させるものである。レンズ５０の数は、図２に示すように、発光装置２０の数と同数であり、ここでは８個である。また、レンズホルダ４０は、図２に示すように、それぞれがレンズホルダ４０の筒内に収容されている。また、レンズ５０は、図４（ａ）に示すように、その光軸が回路基板１０の貫通孔１１の中心Ｘと、発光装置２０の発光部２２の中心と、一致するように配置されている。
【００４６】
レンズカバー６０は、レンズ５０を支持するものである。レンズカバー６０は、ここでは図２に示すように、円盤状に形成されている。また、レンズカバー６０は、図１に示すように、レンズ５０の上方に配置されている。また、レンズカバー６０には、図２に示すように、複数の貫通孔６１が形成されている。
【００４７】
貫通孔６１（レンズ用孔部）は、レンズ５０を露出させるためのものである。貫通孔６１は、ここでは図２に示すように、レンズ５０の形状に合わせて円形状に形成されている。また、貫通孔６１は、図２に示すように、レンズ５０の数と同数（ここでは８個）形成されている。また、貫通孔６１は、図２に示すように、レンズ５０の外径よりも小さく形成されている。このような構成を備える照明装置１は、図５に示すように、複数のレンズ５０の上方にレンズカバー６０を配置する際に、レンズ５０の周端部５１にレンズカバー６０の貫通孔６１の縁を当接させながら配置するため、各レンズ５０がレンズホルダ４０内でぐらつくことを防止し、レンズ５０の位置を固定することができる。なお、例えばレンズ５０がレンズホルダ４０に固定されていれば、レンズカバー６０は備えていなくても構わない。
【００４８】
以上のような構成を備える照明装置１は、レンズホルダ４０の爪部４１を回路基板１０の挿通孔１２に挿通して当該回路基板１０の下面から突出させ、この突出した爪部４１によって基板２１の下面２１ａまたは側端部２１ｂを支持することで、それぞれのレンズホルダ４０ごとに、回路基板１０を介して発光装置２０を保持することができる。また、照明装置１は、レンズホルダ４０が発光装置２０の取り付け部材としても機能するため、当該レンズホルダ４０に収容されるレンズ５０の位置に対する発光装置２０の発光部２２の位置を正確に調整することができる。
【００４９】
従って、照明装置１によれば、レンズホルダ４０によって発光装置（ＣＯＢ）２０を保持することができるため、当該発光装置２０を保持するために別途のホルダを用意する必要がなく、複数の発光装置２０を容易に実装することができるとともに、発光装置２０の交換等の作業も容易に行うことができる。また、照明装置１によれば、レンズ５０の位置に対する発光装置２０の位置の調整をレンズホルダ４０によって行うことができるため、両者の位置精度を向上させることができる。そして、照明装置１によれば、回路基板１０によって複数の発光装置２０に一括で電流を供給することができるため、照明装置１０内の狭いスペースの中に多数の配線が張り巡らされることがなく、発光装置２０の交換等の作業も容易に行うことができる。
【００５０】
以下、本発明の実施形態に係る照明装置１の組み立て手順について図２を参照（適宜他の図面も参照）しながら説明する。まず、照明装置１の組み立て手順は、回路基板１０を用意し、当該回路基板１０の挿通孔１２にレンズホルダ４０の爪部４１を挿通するとともに、当該回路基板１０の挿通孔１３にレンズホルダ４０の柱状部４２を挿通し、回路基板１０上に複数のレンズホルダ４０を配置する（第１ステップ）。この第１ステップが終了すると、回路基板１０の下方には、爪部４１と柱状部４２とが突出した状態となる（図３参照）。
【００５１】
次に、照明装置１の組み立て手順は、回路基板１０の下面に突出したレンズホルダ４０の爪部４１によって発光装置２０の下面２１ａおよび側端部３２ｂを支持し、回路基板１０の下方に発光装置２０を取り付ける（第２ステップ）。この第２ステップが終了すると、回路基板１０の下面に突出したレンズホルダ４０の柱状部４２が、レンズホルダ４０の爪部４１によって支持される発光装置２０の基板２１の側端部２１ｂ，２１ｂとは異なる側端部２１ｃ，２１ｃに当接した状態となっているため（図６参照）、発光装置２０の位置ずれが防止される。
【００５２】
次に、照明装置１の組み立て手順は、回路基板１０の下方に放熱部材３０を配置し、締結部材Ｂ１，Ｂ２によって、回路基板１０と放熱部材３０とを締結する（第３ステップ）。この第３ステップが終了すると、放熱部材３０の収容孔３１にレンズホルダ４０の爪部４１の先端が収容され、発光装置２０の基板２１の下面２１ａが放熱部材３０の上面に密着した状態となる（図５参照）。
【００５３】
次に、照明装置１の組み立て手順は、レンズホルダ４０の筒内にレンズ５０を収納する（第４ステップ）。なお、この第４ステップと第３ステップは順序が逆でも構わない。次に、照明装置１の組み立て手順は、レンズホルダ４０およびレンズ５０の上方にレンズカバー６０を配置し、締結部材Ｂ３によって、レンズカバー６０と回路基板１０上の締結部材Ｂ２とを締結する（第５ステップ）。この第５ステップが終了すると、レンズカバー６０の貫通孔６１の縁がレンズ５０の周端部５１と当接された状態となり（図５参照）、レンズ５０がレンズホルダ４０の筒内に固定される。照明装置１の組み立て手順は、以上のような手順により図１に示す照明装置１を完成させる。
【００５４】
以上、本発明に係る照明装置について、発明を実施するための形態により具体的に説明したが、本発明の趣旨はこれらの記載に限定されるものではなく、特許請求の範囲の記載に基づいて広く解釈されなければならない。また、これらの記載に基づいて種々変更、改変等したものも本発明の趣旨に含まれることはいうまでもない。
【００５５】
例えば、前記した照明装置１は、給電用端子１４がコイルコネクタによって構成されていたが、図７に示すように、板バネコネクタからなる給電用端子１４Ａを用いても構わない。この給電用端子１４Ａは、図７に示すように、板状の金属部材が折り曲げられて形成されている。そのため、給電用端子１４Ａは、回路基板１０の下方に発光装置２０を保持すると（図４（ｂ）参照）、貫通孔１１の周囲における４点で発光装置２０の基板２１を押圧するように構成されている。従って、このような給電用端子１４Ａを用いた変形例に係る照明装置は、放熱部材３０の上面に対して、貫通孔１１の周囲における４点でより均等に基板２１を押圧して密着させることができるため、放熱性が向上する。
【００５６】
また、前記した照明装置１は、図１に示すように、発光装置２０の数を合計８個としたが、発光装置２０の数は２個以上であれば特に限定されない。
【００５７】
また、前記した照明装置１は、図６に示すように、柱状部４２が、回路基板１０の挿通孔１３に挿通された際に、発光装置２０の基板２１の側端部２１ｃ，２１ｃに当接するように形成されていたが、必ずしも当該側端部２１ｃ，２１ｃに当接するように形成されなくてもよい。すなわち、柱状部４２は、発光装置２０の位置ずれを防止できる範囲内であれば、発光装置２０の基板２１の側端部２１ｃ，２１ｃと所定の間隔が空くように形成されても構わない。
【符号の説明】
【００５８】
１  照明装置
１０  回路基板
１１  貫通孔（発光部用孔部）
１２  挿通孔（爪部用孔部）
１３  挿通孔（柱状部用孔部）
１４，１４Ａ  給電用端子
２０  発光装置
２１  基板
２１ａ  下面
２１ｂ，２１ｃ  側端部
２２  発光部
２３  電極
３０  放熱部材
３１  収容孔（爪部先端用孔部）
４０  レンズホルダ
４１  爪部
４１１  柱部
４１２  鍔部
４１ａ  折り返し上面
４１ｂ  内側面
４２  柱状部
５０  レンズ
５１  周端部
６０  レンズカバー
６１  貫通孔（レンズ用孔部）
Ｂ１，Ｂ２，Ｂ３  締結部材
【図１】
0005880137.tif 000002
【図２】
0005880137.tif 000003
【図３】
0005880137.tif 000004
【図４】
0005880137.tif 000005
【図５】
0005880137.tif 000006
【図６】
0005880137.tif 000007
【図７】
0005880137.tif 000008